(57)【特許請求の範囲】
【請求項１】
カードを走行させるカード走行機構と、カードを保管しておくカード保管部とを備え、取り忘れ等の不要なカードを上記カード走行機構により搬送して上記カード保管部に保管するようにしたカードリーダにおいて、上記カード保管部にカードを落とし込むための落込用カード搬送部の手前側に、上記カードの上記カード保管部側への移動のみ許容するシャッタ機構を設けたことを特徴とするカードリーダ。
【請求項２】
前記シャッタ機構は、前記カード保管部側へ移動する前記カードによって移動可能なシャッタ部材を有するとともに、上記シャッタ部材は、カードに当接していない通常位置において前記カード保管部側はカード走行方向に対してほぼ直交する面を有する一方、前記カード保管部側とは逆側はカード走行方向に対して傾斜する面を有してなることを特徴とする請求項１記載のカードリーダ。
【請求項３】
前記シャッタ部材は、前記通常位置に復帰するように設けられており、上記復帰させる力はばねによる復帰力または上記シャッタ部材の自重による復帰力であることを特徴とする請求項２記載のカードリーダ。
【請求項４】
前記カード走行機構は、カード挿入口から挿入されたカードを取り込み所定の動作を行うようにカードを走行させるものであり、前記カード保管部は上記カード挿入口とは逆側に設けられてなることを特徴とする請求項１から３のいずれかに記載のカードリーダ。
【請求項５】
前記カード挿入口には、カードの挿入を許容するための挿入用シャッタ部材を有する挿入用シャッタ機構が設けられてなることを特徴とする請求項４記載のカードリーダ。
【発明の詳細な説明】
【０００１】
【発明の属する技術分野】
本発明は、カードリーダに関する。更に詳述すると、本発明は取り忘れ等の不要なカードを取り込んで保管するカード保管部を有するカードリーダに関するものである。
【０００２】
【従来の技術】
カードリーダには、取り忘れ等のカードを内部に取り込んでカード保管部に搬送して保管しておくことができるものがある。
【０００３】
かかるタイプの従来のカードリーダを図４に示す。カード保管部１０１は、カード走行路１０２の延長上に設けられている。そして、図示しないセンサ類によってカード１０３の取り忘れ等が検出されると、このカード１０３は内部に取り込まれてカード走行路１０２上を搬送され、カード保管部１０１に落とし込まれる。そして、図示しないセンサによってカード１０３がカード保管部１０１に投入されたことを検出すると、カードリーダは通常動作に復帰し、次の利用のカード待ち状態になる。
【０００４】
このようにカード保管部１０１を設けることで、取り忘れのカード１０３を担当者や所有者が取りに来るまで保管しておくことができ、カード１０３の持ち去り等の遺失を防止して所用者への返却が可能になる。
【０００５】
【発明が解決しようとする課題】
しかしながら、上述のカードリーダでは、例えばひも状のループ１０４をカード保管部１０１に仕掛けて置くことで、カード保管部１０１に搬送されて来たカード１０３を引き出して持ち去ることが可能であった。
【０００６】
即ち、カードの盗用を目的とする悪意を持った者によってひも状ループ１０４がカード保管部１０１に仕掛けられていると、カード保管部１０１に搬送されて来たカード１０３はひも状ループ１０４に引っ掛かる。この状態では、カード１０３がカード保管部１０１に正常に取り込まれていないのにもかかわらず、カード保管部１０１に設けられているセンサによってカード１０３の存在、即ち取り込みが検出される。このため、カードリーダはカード１０３が正常にカード保管部１０１に投入されて保管されたものと判断し、正常作動モードに移行してカード待ち状態になる。
【０００７】
この状態でカードリーダのカード挿入口に正規のカード１０３を挿入すると、カード挿入口に設けられているシャッタが開く。したがって、悪意を持った者がひも状ループ１０４を引き出すことでカード保管部１０１からカード１０３を引き抜くことが可能になる。
【０００８】
本発明は、カード保管部からのカードの不正な引き出しを防止できるカードリーダを提供することを目的とする。
【０００９】
【課題を解決するための手段】
かかる目的を達成するために請求項１記載の発明は、カードを走行させるカード走行機構と、カードを保管しておくカード保管部とを備え、取り忘れ等の不要なカードをカード走行機構により搬送してカード保管部に保管するようにしたカードリーダにおいて、カード保管部にカードを落とし込むための落込用カード搬送部の手前側に、カードのカード保管部側への移動のみ許容するシャッタ機構を設けたものである。
【００１０】
したがって、取り忘れ等のカードは落込用カード搬送部によって搬送され、シャッタ機構を開けながら通過してカード保管部に投入される。そして、シャッタ機構は、一旦カード保管部に落とし込まれたカードがカード走行路側に戻るのを阻止する。
【００１１】
また、請求項２記載のカードリーダは、シャッタ機構は、カード保管部側へ移動するカードによって移動可能なシャッタ部材を有するとともに、シャッタ部材は、カードに当接していない通常位置においてカード保管部側はカード走行方向に対してほぼ直交する面を有する一方、カード保管部側とは逆側はカード走行方向に対して傾斜する面を有してなるものである。
【００１２】
したがって、カード保管部内のカードがカード走行路側に向けて引き戻されると、シャッタ部材のカード走行方向に対して直交する面（直交面）に当たり、カードが走行路に戻ることはできない。一方、カードがカード走行路からカード保管部に投入される場合には、カードはシャッタ部材のカード走行方向に対して傾斜する面（傾斜面）に当たる。このため、シャッタ部材を回転させて通常位置から退避させる力が発生し、カードはシャッタ部材を通常位置から退避させながらカード保管部内に進入する。そして、カードがシャッタ部材を通過すると、シャッタ部材を退避させる力が消滅し、シャッタ部材は通常位置に復帰する。
【００１３】
また、請求項３記載のカードリーダは、シャッタ部材が、通常位置に復帰するように設けられており、復帰させる力をばねによる復帰力またはシャッタ部材の自重による復帰力としている。したがって、シャッタ部材はばね力または重力によって通常位置に確実に復帰するようになり、専用のアクチュエータ等が不要になる。
【００１４】
また、請求項４記載のカードリーダは、カード走行機構は、カード挿入口から挿入されたカードを取り込み所定の動作を行うようにカードを走行させるものであり、カード保管部はカード挿入口とは逆側に設けられている。したがって、カード挿入口に挿入されたカードはカード走行機構によって取り込まれて搬送される。そして、カードをそのまま直進させると、カード保管部に搬送することができる。
【００１５】
さらに、請求項５記載のカードリーダは、カード挿入口には、カードの挿入を許容するための挿入用シャッタ部材を有する挿入用シャッタ機構が設けられている。したがって、カード挿入口よりカードリーダ内にカードが取り込まれると、挿入用シャッタ機構のシャッタ部材が閉まり、カードの不正な抜き取りを防止する。
【００１６】
【発明の実施の形態】
以下、本発明の構成を図面に示す最良の形態に基づいて詳細に説明する。
【００１７】
図１及び図２に、本発明を適用したカードリーダの実施形態の一例を示す。このカードリーダは、カード１を走行させるカード走行機構２と、カード１を保管しておくカード保管部３とを備え、取り忘れ等の不要なカード１をカード走行機構２により搬送してカード保管部３に保管するようにしたもので、カード保管部３にカード１を落とし込むための落込用カード搬送部４の手前側に、カード１のカード保管部３側への移動のみ許容するシャッタ機構５を設けている。
【００１８】
シャッタ機構５は、カード保管部３側へ移動するカード１によって移動可能なシャッタ部材６を有している。このシャッタ部材６は、例えばほぼ三角形状を成すプレートで、カード走行路１４の下側に設けられており、カード１に当接していない通常位置８（図１中実線位置）においてカード保管部３側はカード走行方向に対してほぼ直交する面（以下、直交面という）６ａを有する一方、カード保管部３側とは逆側はカード走行方向に対して傾斜する面（以下、傾斜面という）６ｂを有している。シャッタ部材６はその中央付近を軸７によって回転自在に支持されている。また、シャッタ部材６が通常位置８を越えてカード挿入口９側に移動（回転）するのを防止するために、ストッパ１０が設けられている。
【００１９】
シャッタ部材６は、通常位置８に復帰するように設けられており、復帰させる力はばねによる復帰力またはシャッタ部材６の自重による復帰力である。本実施形態では戻しばね１１を設けており、その弾性力を利用してシャッタ部材６を通常位置８に戻す復帰力を発揮させている。
【００２０】
カード走行機構２は、カード挿入口９から挿入されたカード１を取り込み、所定の動作、例えば図示しない磁気ヘッドによってデータのリード・ライト等を行うようにカード１を走行させるもので、例えば搬送用ローラ対によって構成されている。また、最もカード保管部３側の搬送用ローラ対が、カード保管部３にカード１を落とし込むための落込用カード搬送部４となっている。なお、カード保管部３はカード挿入口９とは逆側、即ち、カードリーダの奥側に設けられている。
【００２１】
カード挿入口９には、カード１の挿入を許容するための挿入用シャッタ部材１２を有する挿入用シャッタ機構１３が設けられている。挿入用シャッタ機構１３は、図示しないソレノイドによって挿入用シャッタ部材１２を開閉操作してカード挿入口９を開閉するもので、正規のカード１がカード挿入口９に差し込まれるとカード挿入口９を開き、カード１が取り込まれた後にカード挿入口９を閉じる。
【００２２】
次に、カードリーダの作動について説明する。
【００２３】
いま、データ処理を行った後のカード１が取り忘れ等によって所定時間、例えば３０秒経過してもカード挿入口９に残されていると、カード走行機構２が始動してカード１を内部に取り込んだ後、挿入用シャッタ部材１２がカード挿入口９を閉じる。
【００２４】
取り込まれたカード１は、カード走行機構２によってカード走行路１４の奥側のカード保管部３に搬送される。このとき、シャッタ部材６は通常位置８にあるため、カード１がシャッタ部材６の傾斜面６ｂに当たって当該シャッタ部材６を奥側に倒すように回転移動（図１中二点鎖線）させながら進行し、落込用カード搬送部４によってカード保管部３に投入される。この様に、シャッタ部材６はカード保管部３側へはカード１の進行を許容するので、カード１のカード保管部３側への進入を妨げることはない。
【００２５】
カード１の通過後、シャッタ部材６は戻しばね１１によって通常位置８に戻される。このため、カード１をカード走行路１４側に引き戻そうとしてもシャッタ部材６の直交面６ａに当たって引っ掛かり、シャッタ部材６よりも手前側（カード挿入口９側）に引き出すことはできない（図２）。即ち、悪意を持った者がカード１を不正に引き出すことを目的として図４に示すようなひも状ループ１０４をカードリーダに仕掛けたとしても、ひも状ループ１０４を手繰り寄せてカード１を引き抜くことはできず、カード１の盗用を防止することができる。
【００２６】
なお、上述の形態は本発明の好適な形態の一例ではあるがこれに限定されるものではなく本発明の要旨を逸脱しない範囲において種々変形実施可能である。例えば、シャッタ機構５はカード保管用の通路であれば、カード保管部３の直前でなくてもよい。
【００２７】
また、上述の説明では、戻しばね１１によってシャッタ部材６を通常位置８に復帰させるようにしていたが、戻しばね１１以外のばねを利用して復帰させるようにしても良い。
【００２８】
また、特別のばね部材を設けることなくシャッタ部材６の自重による復帰力で通常位置８に復帰させるようにしても良い。例えば、図３に示すように、シャッタ部材６の下端部で直交面６ａの近傍位置を軸７によって回転自在に支持することで、シャッタ部材６の自重による復帰力を利用して通常位置８に復帰させるようにしても良い。
【００２９】
また、シャッタ部材６をソレノイド等のアクチュエータを使用して通常位置８に復帰させるようにしても良い。
【００３０】
さらに、上述の説明では、シャッタ部材６をカード走行路１４の下側に設けていたが、カード走行路１４の上側にシャッタ部材６を設けても良いことは勿論である。
【００３１】
【発明の効果】
以上説明したように、請求項１記載のカードリーダでは、カード保管部にカードを落とし込むための落込用カード搬送部の手前側に、カードのカード保管部側への移動のみ許容するシャッタ機構を設けたので、シャッタ機構がカード保管部からカード走行路側へのカード戻りを阻止するワンウェイシャッタとして機能する。このため、悪意を持った者がカード保管部に保管されているカードを盗み出す目的で例えばひも状ループ等を仕掛けたとしても、カード保管部からカードを引き出すことはできない。この結果、カードリーダのセキュリティ性を高めることができる。
【００３２】
また、請求項２記載のカードリーダでは、シャッタ機構は、カード保管部側へ移動するカードによって移動可能なシャッタ部材を有するとともに、シャッタ部材は、カードに当接していない通常位置においてカード保管部側はカード走行方向に対してほぼ直交する面を有する一方、カード保管部側とは逆側はカード走行方向に対して傾斜する面を有してなるので、シャッタ部材をワンウェイシャッタとして機能させることができる。
【００３３】
また、請求項３記載のカードリーダでは、シャッタ部材は、通常位置に復帰するように設けられており、復帰させる力はばねによる復帰力またはシャッタ部材の自重による復帰力であるので、特別のアクチュエータ類を使用することなくシャッタ部材を通常位置に復帰させることができる。このため、生産コストを低減することができると共に、カードリーダの小型化を図ることができる。
【００３４】
また、請求項４記載のカードリーダでは、カード走行機構は、カード挿入口から挿入されたカードを取り込み所定の動作を行うようにカードを走行させるものであり、カード保管部はカード挿入口とは逆側に設けられているので、取り忘れ等のカードをカード走行機構によって取り込んでそのまま直進させることで、当該カードをカード保管部に搬送することができる。このため、カード保管部をレイアウト的に効率良く配置することができ、カードリーダの小型化と構造の単純化を図ることができる。
【００３５】
さらに、請求項５記載のカードリーダでは、カード挿入口には、カードの挿入を許容するための挿入用シャッタ部材を有する挿入用シャッタ機構が設けられているので、カード取り込み後に挿入用シャッタ部材を閉めることで、カードの不正な抜き取り防止とカード以外の異物の侵入防止を図ることができる。
【図面の簡単な説明】
【図１】本発明を適用したカードリーダの実施形態の一例を示す概略構成図である。
【図２】同カードリーダのシャッタ部材がカードの引き戻しを阻止する様子を示す概略構成図である。
【図３】本発明を適用したカードリーダの他の実施形態を示し、そのシャッタ機構の概略構成図である。
【図４】従来のカードリーダのカード保管部周辺の概略構成図である。
【符号の説明】
１  カード
２  カード走行機構
３  カード保管部
４  落込用カード搬送部
５  シャッタ機構
６  シャッタ部材
６ａ  直交面
６ｂ  傾斜面
８  通常位置
９  カード挿入口
１１  戻しばね
１２  挿入用シャッタ部材
１３  挿入用シャッタ機構
【図１】
0003701534.tif 000002
【図２】
0003701534.tif 000003
【図３】
0003701534.tif 000004
【図４】
0003701534.tif 000005